(57)【要約】【課題】衣服等に使用するボタンであって、ボタン表面に無着色布地に覆われているくるみボタンにおいて、該くるみボタンの表面生地の染色に適合した染料にて後染めすることによって、くるみボタン表面の無着色布地を染色した後染めくるみボタンを提供する。【解決手段】衣服等に使用するボタンであって、ボタン表面に無着色布地に覆われているくるみボタンにおいて、該ボタンの表面生地の染色に適合した染料にて後染めすることによって、くるみボタン表面の無着色布地を染色したことを特徴とする後染めくるみボタン。【選択図】図２
0003128098.tif 000002
【実用新案登録請求の範囲】
【請求項１】
衣服等に使用するボタンであって、ボタン表面に無着色布地に覆われているくるみボタンにおいて、該ボタンの表面生地の染色に適合した染料にて後染めすることによって、くるみボタン表面の無着色布地を染色したことを特徴とする後染めくるみボタン。
【請求項２】
くるみボタン表面に無着色布地はナイロン生地である請求項１記載の後染めくるみボタン。
【請求項３】
くるみボタン表面に無着色布地は木綿生地である請求項１記載の後染めくるみボタン。
【考案の詳細な説明】
【考案の詳細な説明】
【技術分野】
【０００１】この考案は、衣服又は袋物に適合したくるみボタンを、衣服の裁断を行った後のはぎれを待って、そのはぎれを使用したくるみボタンを作成するようにすれば、出来上がってくる衣服とくるみボタンとはよく調和するが、衣服の作成時期より大幅に、くるみボタンの作製が遅れることから生じる衣服の出荷時期に大幅な遅れが生じる傾向がある。
このような出荷時期のおくれ生じないようにするには、くるみボタンの表面に無着色布地を予め用意しておき、衣服の完成とほぼ同時期に衣服の色調にあったくるみボタンを後染することによって出荷できるようにすれば、くるみボタンを付設した衣服の出荷のタイミングを遅らせることをなくすことができる。
【背景技術】
【０００２】従来、衣服の色彩に適合したくるみボタンを、衣服の裁断を行った後のはぎれを使用したくるみボタンを作成するのが理想であるが、現在の衣服の流通業界の実情は、それを可能にするようにはなっていない。しかも、くるみボタンの作製はほとんど手作業で、全く量産に適しないことが、ますますくるみボタンを付設した衣服の出荷のタイミングを遅らせる原因となっている。【０００３】衣服と、くるみボタンの外装用布は、同一の布即ち、共布又はデザイン的に調和した色や模様を有する布から構成され、くるみボタンの製作時にはこのようなくるみボタンの外装用布が使用されることが記載されている。（特許文献１参照）
【特許文献１】  特開平７−２７５０１０号
【考案の解決しようとする課題】
【０００４】衣服用の布地を裁断して出来たハギレを使用して、その後に、そのハギレを問屋、その他の流通機構を通じてくるみボタンを作成工場に届くのが、二週間後となり、それから、くるみボタンを手作業で作成することになる。従って、衣服は既に作成されているのにも関わらず、くるみボタンの製造がおっつかないために、くるみボタンを付設した衣服の出荷が遅れることになる。
【０００５】上記の欠点をなくすためには、衣服の色調が決定した段階で、できるだけ可及的にくるみボタンの製造を可能なように、予めボタン表面に無着色布地に覆われているくるみボタンを予め製造して準備しておき、衣服の色調が決定した段階で衣服の色調に合わせたくるみボタンの表面布地部を染色することで、衣服の縫製に合わせて、くるみボタンを提供できるようにするようにすれば、衣服の出荷を遅らせることがない。
【課題を解決するための手段】
【０００６】本考案は、上記の問題点に鑑み、衣服等に使用するボタンであって、ボタン表面に無着色布地に覆われているくるみボタンにおいて、該くるみボタンの表面生地の染色に適合した染料にて後染めすることによって、くるみボタン表面の無着色布地を染色した後染めくるみボタン。
【０００７】また、くるみボタン表面に無着色布地はナイロン生地である後染めくるみボタンとした。
【０００８】更に、くるみボタン表面に無着色布地は木綿生地である後染めくるみボタンとすることもある。
【考案を実施するための最良の形態】
【実施例１】
【０００９】量産される衣服又は袋物に使用するボタンであって、ボタン表面に無着色布地に覆われているくるみボタンを予め、くるみボタン作成具にてくるみボタンを多数を作成しておく。念のために、作成の工程を図４により説明するすると、くるみボタン作成具ａは、、雌型筒１と、雄型筒２を一対とからなる。【００１０】雌型筒１くるみボタン作成具の上に無着色布地３を置き、次に通常アルミ板材のような金板４を無着色布地１と共にくるみボタン作成具の雌型筒１の凹部５に押し入れる。更に、硬質ボタン本体６を雄型筒２の押圧筒７と共にくるみボタン作成具の雌型筒４に入れる。更に、硬質ボタン本体６の周延部は雄型筒の押圧筒７の図４の矢印方向への押圧によって下部内周斜部によって無着色布地２は前記アルミ板材のような金板３を巻き込んだ状態で硬質ボタン本体５の外周部に押圧固定されて図１の無着色布地くるみボタン１０が作成される。【００１１】従来、くるみボタン１０は、衣服の服地を裁断した残布、即ち、はぎれで製造する。ところが、衣服服地の裁断をした後、縫製して最終的に衣服が完成しているにも関わらず、残布を使用する場合には、残布（ハギレ）の流通経路上の問題から、裁断からボタンメーカーに届くのは、裁断が行われて後、２〜３週間を要する。【００１２】従って、すでに完成した衣服をその服地に適合したくるみボタンがないために、２〜３週間が放置されることになる。衣服ファッションの業界は、発売日の遅れが、売れ残りとなり、売り損を発生させることになる。【００１３】衣服ファッションの発売日を睨んで、くるみボタン１０を予め、白の布生地による前記のくるみボタン１０を多数作り置きしておき、ボタンメーカーに受注が入った時、服地にコーディネートしたくるみボタンを受注のボタン個数分を染色して、該染色済のくるみボタン１１を衣服会社に納品することで、衣服の完成に合わせてくるみボタン１１を納品すれば、衣服発売の遅れをなくすことができる。【００１４】無着色布地くるみボタン１０の染色の一例として、例えば、白の布生地による前記のくるみボタン１０を多数を網籠に入れ、それぞれの白の布生地に適合した（酸性又は中性）温度、約、８０〜９０度の染色槽に一定時間を浸漬し染色し、色合わし、乾燥して染色後のくるみボタン１１を得る。なお、１２は一対のボタン孔金具である。【００１５】くるみボタン１０に使用される布生地の素材の種類によって通常、以下のような染色料を使用する。
▲１▼化学繊維には、分散染料を適用する。
▲２▼植物繊維には、直接染料を適用する。
▲３▼動物繊維には、酸性染料を適用する。
本願では、衣服生地本体の生地の性状により、主としてくるみボタン１０は、白の布生地として、ナイロン布地又は綿布地をよく使用するが、もちろん他の衣服生地も使用されるのは当然である。
【考案の効果】
【００１６】請求項１では、衣服に使用するボタンであって、ボタン表面に無着色布地に覆われているくるみボタンにおいて、該ボタンの表面を酸性又は中性染料にて後染めすることによってボタン表面に無着色布地を着色することによって、衣服の裁断、縫製、完成、に合わせてその衣服に適合した色調に後染めすることで、衣服のボタン縫製を遅滞なく行う後染めくるみボタンとすることによって、くるみボタンの使用される衣服業界の流通に遅滞なく即応できるようにした。
更に、ボタン表面に無着色布地はナイロン生地とした後染めくるみボタンとすることによってアイロン製の衣服のくるみボタンの縫製に対応するものである。
更にまた、ボタン表面に無着色布地は木綿生地である後染めくるみボタンとすることによって木綿製の衣服のくるみボタンの縫製に対応するものである。
【図面の簡単な説明】
【００１７】
【図１】ボタン表面に無着色布地に覆われているくるみボタンの平面図
【図２】ボタン表面に染色後のくるみボタンの平面図
【図３】くるみボタンの断面図
【図４】くるみボタン製作状態を示す断面図
【符号の説明】
１．．．雌型筒
２．．．雄型筒
３．．．無着色布地
４．．．アルミ板材のような金板
５．．．雌型筒１の凹部
６．．．硬質ボタン本体
７．．．雄型筒の押圧筒
ａ．．．くるみボタン作成具
１０．．．無着色布地くるみボタン
１１．．．染色した済のくるみボタン
１２．．．一対のボタン孔金具
【図１】
0003128098.tif 000003
【図２】
0003128098.tif 000004
【図３】
0003128098.tif 000005
【図４】
0003128098.tif 000006